(57)【要約】【課題】タッチパネル方式の携帯端末装置を把持した手のみを用いて操作を行う場合の操作性を向上させる。【解決手段】携帯端末装置１は、表面に設けられる表示部２１と、表示部２１の表示領域に対する入力操作を受け付ける表面入力部２２ａと、裏面に設けられて裏面の所定領域に対する入力操作を受け付ける裏面入力部２２ｂと、表面入力部２２ａ及び裏面入力部２２ｂを介して行われた入力操作を検知して、当該入力操作と表示部２１の表示内容とを対応付けて入力操作内容を判別し、当該入力操作内容に応じた処理を行うＣＰＵ１１と、を備える。【選択図】図４
2012073698.tif 000002
【特許請求の範囲】
【請求項１】
少なくとも２つの面部を有し、当該２つの面部のうち一方の面部が他方の面部の裏面側に設けられる携帯端末装置であって、
前記一方の面部に設けられる表示手段と、
前記表示手段の表示領域に対する入力操作を受け付ける第１の入力手段と、
前記第１の入力手段に対する入力操作を検知する第１の入力検知手段と、
前記他方の面部に設けられて、当該他方の面部内の所定領域に対する入力操作を受け付ける第２の入力手段と、
前記第２の入力手段に対する入力操作を検知する第２の入力検知手段と、
前記第１の入力検知手段により検知された入力操作及び前記第２の入力検知手段により検知された入力操作を前記表示手段の表示内容と対応付けて入力操作内容を判別し、当該入力操作内容に応じた処理を行う制御手段と、
を備えることを特徴とする携帯端末装置。
【請求項２】
前記制御手段は、前記第１の入力検知手段により検知された入力操作及び前記第２の入力検知手段により検知された入力操作に応じて前記表示領域内で移動するカーソルを前記表示手段に表示させることを特徴とする請求項１に記載の携帯端末装置。
【請求項３】
前記制御手段は、前記第２の入力手段が入力を受け付ける所定領域のうち一部又は全部の領域と、前記表示領域の一部の領域と、を対応付けることを特徴とする請求項１又は２に記載の携帯端末装置。
【請求項４】
対象を光学的に読み取る読取手段と、
前記表示手段の表示領域及び前記他方の面部内の所定領域以外の所定箇所に対する押圧操作を受け付ける第３の入力手段と、
前記第３の入力手段に対する押圧操作を検知する第３の入力検知手段と、
前記第３の入力検知手段により検知された押圧操作に応じて前記読取手段を動作させる動作制御手段と、をさらに備えることを特徴とする請求項１から３のいずれか一項に記載の携帯端末装置。
【請求項５】
前記第１の入力手段、前記第２の入力手段及び前記第３の入力手段はそれぞれ、一体に形成された可撓性を有する入力受付装置のそれぞれ異なる一部分を用いることを特徴とする請求項４に記載の携帯端末装置。
【発明の詳細な説明】
【技術分野】
【０００１】
本発明は、携帯端末装置に関する。
【背景技術】
【０００２】
近年、タッチパネル式の表示入力装置を備えた携帯端末装置がある（例えば特許文献１）。タッチパネル式の表示入力装置を備えた携帯端末装置では、液晶ディスプレイ等の表示装置と、当該表示装置の表示領域に対する入力操作を受け付ける入力装置とを備えることにより、ユーザは表示装置の表示内容に対して直接入力操作を行う感覚で携帯端末装置に対する入力を行うことができる。
【先行技術文献】
【特許文献】
【０００３】
【特許文献１】特開２００７−２７４１３６号公報
【発明の概要】
【発明が解決しようとする課題】
【０００４】
ところで、タッチパネル方式の携帯端末装置を、片手で把持した上で当該片手のみで操作したいという需要がある。従来、タッチパネル方式の携帯端末装置に対して、当該携帯端末装置を把持した側の手により操作する場合、専ら親指を用いることとなった。
しかしながら、親指の長さに比してタッチパネルの表示装置の表示領域が大きい場合、表示領域のうち親指が届かない箇所に対する操作を行うことができないので、表示領域のうち親指が届かない箇所に対する操作を行うためには両手を使わざるを得なかった。
【０００５】
本発明の課題は、タッチパネル方式の携帯端末装置を把持した手のみを用いて操作を行う場合の操作性を向上させることである。
【課題を解決するための手段】
【０００６】
上記課題を解決するため、請求項１に記載の発明は、少なくとも２つの面部を有し、当該２つの面部のうち一方の面部が他方の面部の裏面側に設けられる携帯端末装置であって、前記一方の面部に設けられる表示手段と、前記表示手段の表示領域に対する入力操作を受け付ける第１の入力手段と、前記第１の入力手段に対する入力操作を検知する第１の入力検知手段と、前記他方の面部に設けられて、当該他方の面部内の所定領域に対する入力操作を受け付ける第２の入力手段と、前記第２の入力手段に対する入力操作を検知する第２の入力検知手段と、前記第１の入力検知手段により検知された入力操作及び前記第２の入力検知手段により検知された入力操作を前記表示手段の表示内容と対応付けて入力操作内容を判別し、当該入力操作内容に応じた処理を行う制御手段と、を備えることを特徴とする。
【０００７】
請求項２に記載の発明は、請求項１に記載の携帯端末装置であって、前記制御手段は、前記第１の入力検知手段により検知された入力操作及び前記第２の入力検知手段により検知された入力操作に応じて前記表示領域内で移動するカーソルを前記表示手段に表示させることを特徴とする。
【０００８】
請求項３に記載の発明は、請求項１又は２に記載の携帯端末装置であって、前記制御手段は、前記第２の入力手段が入力を受け付ける所定領域のうち一部又は全部の領域と、前記表示領域の一部の領域と、を対応付けることを特徴とする。
【０００９】
請求項４に記載の発明は、請求項１から３のいずれか一項に記載の携帯端末装置であって、対象を光学的に読み取る読取手段と、前記表示手段の表示領域及び前記他方の面部内の所定領域以外の所定箇所に対する押圧操作を受け付ける第３の入力手段と、前記第３の入力手段に対する押圧操作を検知する第３の入力検知手段と、前記第３の入力検知手段により検知された押圧操作に応じて前記読取手段を動作させる動作制御手段と、をさらに備えることを特徴とする。
【００１０】
請求項５に記載の発明は、請求項４に記載の携帯端末装置であって、前記第１の入力手段、前記第２の入力手段及び前記第３の入力手段はそれぞれ、一体に形成された可撓性を有する入力受付装置のそれぞれ異なる一部分を用いることを特徴とする。
【発明の効果】
【００１１】
本発明によれば、タッチパネル方式の携帯端末装置を把持した手のみを用いて操作を行う場合の操作性を向上させることができる。
【図面の簡単な説明】
【００１２】
【図１】本発明の第１実施形態による携帯端末装置を表面から見た場合の外観構成の一例を示す図である。
【図２】本発明の第１実施形態による携帯端末装置を裏面から見た場合の外観構成の一例を示す図である。
【図３】携帯端末装置の主要構成を示すブロック図である。
【図４】携帯端末装置を側方から見た場合の断面図である。
【図５】入力受付部とＸＹ座標との関係の一例を示す図である。
【図６】表面入力部に対する入力例を示す図である。
【図７】裏面入力部に対する入力例を示す図である。図７（Ａ）は裏面入力部に対する接触操作の位置の一例を示す図である。図７（Ｂ）は図７（Ａ）に示す接触操作が行われた場合におけるマウスカーソルの表示例を示す図である。
【図８】マウスカーソルモードを用いた操作の一例を示す図である。図８（Ａ）は、裏面入力部に対する入力操作のうち図７とは異なる一例を示す図である。図８（Ｂ）は、図８（Ａ）に示す入力操作に応じて移動するマウスカーソルの軌跡を示す図である。
【図９】携帯端末装置の主要な動作の流れを示すフローチャートである。
【図１０】表面入力部への入力操作における処理の流れを示すフローチャートである。
【図１１】裏面入力部への入力操作における処理の流れを示すフローチャートである。
【図１２】２本の指を用いて裏面入力部に対する入力操作を行っている一例を示す図である。
【図１３】裏面入力部が入力を受け付ける領域のうち一部の領域と表示部の表示領域の一部の領域との対応付けの一例を示す図である。
【図１４】ソフトウェアキーボードによる入力を行う場合の表示例及び裏面入力部によるキー入力受付範囲の一例を示す図である。図１４（Ａ）は、ソフトウェアキーボードによる入力を行う場合の表示例を示す図である。図１４（Ｂ）は、図１４（Ａ）に示す表示が行われている場合の裏面入力部によるキー入力受付範囲の一例を示す図である。
【図１５】図１４（Ａ）、（Ｂ）に示すソフトウェアキーボードによる入力例のうち、表面入力部に対する入力操作により文字を入力した場合の例を示す図である。
【図１６】図１４（Ａ）、（Ｂ）に示すソフトウェアキーボードによる入力例のうち、裏面入力部に対する入力操作及びトリガーキーにより文字を入力した場合の例を示す図である。図１６（Ａ）は、裏面入力部に対する入力操作によりソフトウェアキーボードを操作した場合のイメージを示す図である。図１６（Ｂ）は、図１６（Ａ）に示す入力操作及びトリガーキーにより文字を入力した場合の例を示す図である。
【図１７】裏面入力部が入力を受け付ける全部の領域と表示部の表示領域の一部の領域との対応付けの一例を示す図である。
【図１８】第３実施形態の携帯端末装置の主要構成を示すブロック図である。
【図１９】第３実施形態による携帯端末装置の構成の一例を示す図である。図１９（Ａ）は、携帯端末装置を表面側から見た外観構成を示す図である。図１９（Ｂ）は、携帯端末装置を側方から見た場合の断面図である。
【図２０】携帯端末装置にバーコードを読み取らせる場合のイメージを示す図である。
【図２１】第３実施形態の入力受付部とＸＹ座標との関係の一例を示す図である。
【図２２】第３実施形態の携帯端末装置の主要な動作の流れを示すフローチャートである。
【発明を実施するための形態】
【００１３】
以下に、本発明について、図面を用いて具体的な態様を説明する。ただし、発明の範囲は、図示例に限定されない。
【００１４】
（第１実施形態）
図１、図２を用いて、本発明の第１実施形態による携帯端末装置１の外観構成の一例を示す。
携帯端末装置１は、少なくとも２つの面部を有し、当該２つの面部のうち一方の面部が他方の面部の裏面側に設けられる。言い換えれば、一方の面部と他方の面部とは、携帯端末装置１において表裏の位置関係を有する。以下、表示部２１を有する一方の面部を「表面」と記載し、他方の面部を「裏面」と記載する。
図１は、携帯端末装置１を表面から見た場合の外観構成の一例を示す図である。
図２は、携帯端末装置１を裏面から見た場合の外観構成の一例を示す図である。
図１に示すように、携帯端末装置１の表面には、表示部２１と、表面入力部２２ａと、キーボード１５ａとが設けられる。携帯端末装置１の側部の両側には、トリガーキー１５ｂが夫々設けられる。また、図２に示すように、携帯端末装置１の裏面には、裏面入力部２２ｂが設けられる。表面入力部２２ａ及び裏面入力部２２ｂについては、後述する。
【００１５】
図３は、携帯端末装置１の主要構成を示すブロック図である。
携帯端末装置１は、ＣＰＵ１１、ＲＡＭ１２、ＲＯＭ１３、コンパニオンチップ１４、キー入力部１５及びタッチパネル２０を有し、これらの各構成はバス１６により接続される。
【００１６】
ＣＰＵ１１は、ＲＯＭ１３内に記憶されたプログラムと協働し、ＲＡＭ１２に展開されたプログラムやデータ等に従って携帯端末装置１の動作制御を行う。
ＲＡＭ１２は、ＣＰＵ１１の処理によって展開されたデータや、当該処理によって一時的に生じたデータ等を格納する。
ＲＯＭ１３は、ＣＰＵ１１によって読み出されるプログラムやデータ等を記憶する。
【００１７】
コンパニオンチップ１４は、複数の機能を有する集積回路である。コンパニオンチップ１４は、例えばバス１６のブリッジとして機能してバス１６により接続される各部間のデータ伝送を可能する機能、コンパニオンチップ１４は、図示しないインタフェースを介して携帯端末装置１に対する他の機器の接続を可能とする機能、音声や画像の出力においてＣＰＵ１１の処理内容の一部を受け持つ機能等を有する。ここに記載した例の他、携帯端末装置１に求められる機能に応じたコンパニオンチップ１４を採用することができる。
【００１８】
キー入力部１５は、複数のキー（ボタン）により入力操作を受け付ける。キー入力部１５は、キーボード１５ａとトリガーキー１５ｂを有する。キーボード１５ａは、図１等に示すように、携帯端末装置１の表面においてタッチパネル２０の表示領域の外側に複数のキーを並べるように設けられる。トリガーキー１５ｂは、図１、図２、図４等に示すように、携帯端末装置１の側部に設けられる。
【００１９】
タッチパネル２０は、表示部２１、入力受付部２２、タッチパネルコントローラ２３を有する。
表示部２１は、ＣＰＵ１１の処理内容に応じた表示出力を行う。表示部２１は、例えば液晶表示装置、有機エレクトロルミネセンス（Electro-Luminescence、ＥＬ）ディスプレイ、その他の表示装置によって構成される。第１実施形態の表示部２１は、携帯端末装置１の表面側に設けられる。表示部２１は、表示手段として機能する。
【００２０】
入力受付部２２は、表示部２１の表示領域に対する入力操作を受け付ける。入力受付部２２は、例えば膜状に形成された電極（スイッチ）をその構成として有し、電極に対する接触位置に応じて電気信号を生じさせる。なお、第１実施形態の入力受付部２２は、抵抗膜方式を採用しており、タッチパネル２０に対する入力を受け付ける。
【００２１】
図４は、携帯端末装置１を側方から見た場合の断面図である。
第１実施形態の入力受付部２２は、表面入力部２２ａ及び裏面入力部２２ｂを含む。
表面入力部２２ａは、透過性を有する膜状の電極であり、少なくとも表示部２１の表示領域を覆うように設けられる。これによって、表示部２１の表示領域に対して接触操作が行われると、表面入力部２２ａの電極がその接触に応じて電気信号を生じさせることにより、表示領域に対する入力操作を受け付ける。表面入力部２２ａは、表示部２１の表示領域に対する入力操作を受け付ける第１の入力手段として機能する。
裏面入力部２２ｂは、携帯端末装置１の裏面に設けられて、裏面の所定領域（図２に示す裏面入力部２２ｂが設けられた範囲）に対する入力操作を受け付ける。裏面入力部２２ｂは、第２の入力手段として機能する。
【００２２】
第１実施形態では、表面入力部２２ａと裏面入力部２２ｂとはフレキシブルプリント基板（ＦＰＣ）等の接続線を介して接続される。さらに、表面入力部２２ａはＦＰＣ等の接続線を介して基盤５に接続される。基盤５には、上述のＣＰＵ１１、ＲＯＭ１２、ＲＡＭ１３、コンパニオンチップ１４、タッチパネルコントローラ２３等が設けられている。
【００２３】
タッチパネルコントローラ２３は、入力受付部２２により受け付けられた入力操作を表示部２１の表示領域における座標情報に変換してＣＰＵ１１へ入力する。タッチパネルコントローラ２３は、例えば集積回路等により構成される処理装置であり、表示部２１及び入力受付部２２と接続される。
図５は、入力受付部２２とＸＹ座標との関係の一例を示す図である。
第１実施形態では、表示部２１の方形状の表示領域を囲む四辺のうち、短い側の二辺に沿う方向をＸ方向、長い側の二辺に沿う方向をＹ方向としており、Ｘ方向とＹ方向とは直交する。タッチパネルコントローラ２３は、表面入力部２２ａが入力を受け付けると、その入力位置に応じて表示領域の所定位置（例えば左下角）を原点とした座標（ＸＹ座標）をＣＰＵ１１へ入力する。また、タッチパネルコントローラ２３は、裏面入力部２２ｂが入力を受け付けると、その入力位置に応じて座標をＣＰＵ１１へ入力する。ここで、タッチパネルコントローラ２３は、表面入力部２２ａの座標と裏面入力部２２ｂの座標を区別可能にＣＰＵ１１へ入力する。第１実施形態では、表面入力部２２ａに対する入力操作に対応するＹ座標を所定の数値（Ａ）以下とし、裏面入力部２２ｂに対する入力操作に対応するＹ座標がＡを上回るように設定している。
【００２４】
ＣＰＵ１１は、タッチパネルコントローラ２３から入力された座標に基づいて、表面入力部２２ａにより受け付けられた入力操作及び裏面入力部２２ｂにより受け付けられた入力操作を検知する。具体的には、ＣＰＵ１１は、入力された座標（ＸＹ座標）のうちＹ座標がＡ以下の場合に表面入力部２２ａにより受け付けられた入力操作として検知し、Ａを上回る場合に裏面入力部２２ｂにより受け付けられた入力操作として検知する。
ここで、ＣＰＵ１１は、表面入力部２２ａに対する入力操作を検知する第１の入力検知手段及び裏面入力部２２ｂに対する入力操作を検知する第２の入力検知手段として機能する。
【００２５】
また、タッチパネルコントローラ２３は、ＣＰＵ１１の制御下で表示部２１の表示制御を行う。ＣＰＵ１１は、表示部２１に表示させる画面のデータをＲＯＭ１３等から読み出してタッチパネルコントローラ２３へ入力する。タッチパネルコントローラ２３は、ＣＰＵ１１から入力されたデータに基づく表示を表示部２１に行わせる。
【００２６】
ＣＰＵ１１は、入力受付部２２に対する入力操作、即ち表面入力部２２ａ及び裏面入力部２２ｂに対する入力操作に応じてタッチパネルコントローラ２３から入力された座標を、表示部２１の表示内容と対応付けることによりユーザの入力操作内容を判別し、入力操作内容に応じた処理を行う。
ここで、ＣＰＵ１１は、タッチパネルコントローラ２３から入力された座標に基づいて検知された表面入力部２２ａに対する入力操作及び裏面入力部２２ｂに対する入力操作を表示部２１の表示内容と対応付けて入力操作内容を判別し、当該入力操作内容に応じた処理を行う制御手段として機能する。
【００２７】
次に、携帯端末装置１のタッチパネル２０を用いた入力操作について説明する。
タッチパネル２０に対する入力として、マウスカーソルモード及びペン入力モードが設けられている。
【００２８】
マウスカーソルモードの場合、ＣＰＵ１１は、表示部２１にカーソル（例えばマウスカーソルＭ等）を表示させる。そして、ＣＰＵ１１は、入力受付部２２が入力操作を受け付けた座標に応じてカーソルを表示領域内で移動させる表示制御を行う。また、マウスカーソルモードのときにトリガーキー１５ｂに対する入力操作が行われると、ＣＰＵ１１は、トリガーキー１５ｂが操作されたときにカーソルが表示されている座標において所定の入力指示（例えば図示しないアイコンの選択やアイコンに対応付けられたプログラムの実行指示等）が行われたものとして扱う。
【００２９】
ペン入力モードの場合、ＣＰＵ１１は、入力受付部２２が入力操作を受け付けた座標において所定の入力指示（例えば図示しないアイコンの選択やアイコンに対応付けられたプログラムの実行指示等）が行われたものとして扱う。つまり、ペン入力モードは、マウスカーソルモードにおける入力受付部２２に対する入力操作（座標の位置決定）とトリガーキー１５ｂによる操作（所定の入力指示）とを、入力受付部２２に対する入力操作のみで受け付けることができる。
【００３０】
図６は、表面入力部２２ａに対する入力例を示す図である。
第１実施形態では、表面入力部２２ａに対する入力を行った場合、ペン入力モードを用いた入力として扱われる。図６では、表面入力部２２ａに対する入力操作位置を符号Ｐで示している。
【００３１】
図７（Ａ）、（Ｂ）は、裏面入力部２２ｂに対する入力例を示す図である。図７（Ａ）は裏面入力部２２ｂに対する接触操作の位置の一例を示し、図７（Ｂ）は図７（Ａ）に示す接触操作が行われた場合におけるマウスカーソルＭの表示例を示す。
第１実施形態では、裏面入力部２２ｂに対する入力を行った場合、マウスカーソルモードを用いた入力として扱われる。ＣＰＵ１１は、例えば図７（Ａ）の符号Ｑに示す入力操作が裏面入力部２２ｂに対して行われた場合、図７（Ｂ）に示すようにマウスカーソルＭを表示させる。
【００３２】
図８（Ａ）、（Ｂ）は、マウスカーソルモードを用いた操作の一例を示す図である。
図８（Ａ）は、裏面入力部２２ｂに対する入力操作のうち図７とは異なる一例を示し、図８（Ｂ）は、図８（Ａ）に示す入力操作に応じて移動するマウスカーソルＭの軌跡を示す。
図８（Ａ）、（Ｂ）に示すように、ユーザは、裏面入力部２２ｂに対する入力操作により、表示領域内のマウスカーソルＭを操作することができる。これによって、表示部２１の表示領域のうち、親指では操作が困難な範囲（例えば図８（Ｂ）に示す表示領域の右上等）についても、裏面入力部２２ｂに対する入力操作により容易にマウスカーソルＭを移動させることができる。
図８（Ａ）、（Ｂ）に示すように、第１実施形態では、裏面入力部２２ｂが入力を受け付ける全部の領域と表示部２１の表示領域の全部の領域とを対応付けている。また、図８（Ａ）、（Ｂ）に示すように、裏面を正面として見た場合の裏面入力部２２ｂに対する入力位置と、表面を正面として見た場合における裏面入力部２２ｂの入力位置に対応付けられた表示領域の位置と、は、鏡映しの関係（図８（Ａ）、（Ｂ）に示す左右の対応関係が逆）となる。言い換えれば、表面を正面として携帯端末装置１の筐体を透かして見た場合の裏面入力部２２ｂに対する入力位置と、裏面入力部２２ｂに対する入力位置と、は同様のものとなる。
【００３３】
次に、携帯端末装置１の動作の流れについて、フローチャートを用いて説明する。以下、入力受付部２２に対する接触操作を「ペンダウン」と記載し、入力受付部２２に対する接触操作の終了を「ペンアップ」と記載する。
図９は、携帯端末装置１の主要な動作の流れを示すフローチャートである。
ＣＰＵ１１は、ペンダウンが行われたか否かを判定する（ステップＳ１）。ペンダウンが行われたか否かの判定は、例えばタッチパネルコントローラ２３から座標の入力があったか否かに基づく。
【００３４】
ステップＳ１の判定において、ペンダウンが行われた場合（ステップＳ１：ＹＥＳ）、ＣＰＵ１１は、タッチパネルコントローラ２３から入力された座標のうちＹ座標がＡを上回るか判定する（ステップＳ２）。Ｙ座標がＡ以下の場合（ステップＳ２：ＮＯ）、ＣＰＵ１１は表面入力部２２ａへの入力操作として処理する（ステップＳ３）。一方、ステップＳ２の判定においてＹ座標がＡを上回る場合（ステップＳ２：ＹＥＳ）、ＣＰＵ１１は裏面入力部２２ｂへの入力操作として処理する（ステップＳ４）。
【００３５】
ステップＳ３若しくはステップＳ４の処理後又はステップＳ１の判定においてペンダウンが行われていない場合（ステップＳ１：ＮＯ）であって、携帯端末装置１の電源（図示略）が切られた場合（ステップＳ５：ＹＥＳ）、携帯端末装置１の処理は終了する。電源が切られるまで（ステップＳ５：ＮＯ）、ＣＰＵ１１はステップＳ１からの処理を繰り返す。
【００３６】
図１０は、表面入力部２２ａへの入力操作における処理の流れを示すフローチャートである。
ＣＰＵ１１は、ペン入力モードで、タッチパネルコントローラ２３から入力された座標に応じた処理を行う（ステップＳ１１）。その後、ＣＰＵ１１は、ペンアップが行われたか判定する（ステップＳ１２）。ペンアップが行われたか否かの判定は、例えばタッチパネルコントローラ２３から座標の入力が終了したか否かに基づく。
ステップＳ１２の判定において、ペンアップが行われた場合（ステップＳ１２：ＹＥＳ）、ＣＰＵ１１は表面入力部２２ａへの入力操作に係る処理を終了する。ステップＳ１２の判定においてペンアップが行われていない場合（ステップＳ１２：ＮＯ）、ＣＰＵ１１はステップＳ１１の処理に戻り、タッチパネルコントローラ２３から入力されてくる座標に応じたペン入力モードに係る処理を行う。
【００３７】
図１１は、裏面入力部２２ｂへの入力操作における処理の流れを示すフローチャートである。
ＣＰＵ１１は、マウスカーソルモードで、タッチパネルコントローラ２３から入力された座標に応じた位置で、表示部２１にマウスカーソルＭを表示させる（ステップＳ２１）。その後、ＣＰＵ１１は、トリガーキー１５ｂに対する入力操作が行われたか否か判定する（ステップＳ２２）。トリガーキー１５ｂに対する入力操作が行われた場合（ステップＳ２２：ＹＥＳ）、ＣＰＵ１１は、そのときマウスカーソルＭが表示された座標において所定の入力指示（例えば図示しないアイコンの選択やアイコンに対応付けられたプログラムの実行指示等）が行われたものとして処理する（ステップＳ２３）。
【００３８】
ステップＳ２３の処理後又はステップＳ２２の判定においてトリガーキー１５ｂに対する入力操作が行われていない場合（ステップＳ２２：ＮＯ）、ＣＰＵ１１は、ペンアップが行われたか判定する（ステップＳ２４）。ペンアップが行われたか否かの判定は、例えばタッチパネルコントローラ２３から座標の入力が終了したか否かに基づく。
ステップＳ２４の判定において、ペンアップが行われた場合（ステップＳ２４：ＹＥＳ）、ＣＰＵ１１は裏面入力部２２ｂへの入力操作に係る処理を終了する。ステップＳ２４の判定においてペンアップが行われていない場合（ステップＳ２４：ＮＯ）、ＣＰＵ１１はステップＳ２１の処理に戻り、タッチパネルコントローラ２３から入力されてくる座標に応じたマウスカーソルモードに係る処理を行う。
【００３９】
以上のように、第１実施形態の携帯端末装置１は、表面に設けられた表示部２１の表示領域に対する入力操作を受け付ける表面入力部２２ａと、裏面に設けられて所定領域に対する入力操作を受け付ける裏面入力部２２ｂと、を有する。そして、ＣＰＵ１１が、タッチパネルコントローラ２３から入力された座標に基づいて、表面入力部２２ａ又は裏面入力部２２ｂを介して行われた入力操作を検知し、表示部２１の表示内容と対応付けてユーザの入力操作内容を判別し、当該入力操作内容に応じた処理を行う。
これによって、表面入力部２２ａを介して表示部２１の表示領域に表示された表示内容に基づいて直接操作する感覚で入力操作を行うことができると共に、当該表示内容に対して裏面入力部２２ｂを介して携帯端末装置１の裏面側から入力操作を行うことができる。このため、携帯端末装置１を把持した手の親指で操作可能な表示領域内の範囲については親指で操作を行い、親指が届かない又は親指での操作が困難な表示領域内の範囲については他の指（例えば人差し指等）を用いて裏面入力部２２ｂを介して入力操作を行うことができる。よって、表示領域のうち携帯端末装置１を把持した手の親指が届かない箇所に対する操作を行うために両手を用いることなく、当該把持した手のみで操作を行うことができる。つまり、タッチパネル方式の携帯端末装置を把持した手のみを用いて操作を行う場合の操作性を向上させることができる。
【００４０】
さらに、裏面入力部２２ｂにより受け付けられた入力操作に対して、ＣＰＵ１１は、表示部２１にカーソルを表示させる。そして、ＣＰＵ１１は、入力受付部２２が入力操作を受け付けた座標に応じてカーソルを表示領域内で移動させる表示制御を行う。これによって、表示領域を正面に見据えた場合にユーザの視界に入らない携帯端末装置１の裏面に対する入力操作における位置あわせを容易に行うことができる。
【００４１】
また、表示部２１にカーソルが表示された状態でトリガーキー１５ｂに対する入力操作が行われると、ＣＰＵ１１は、トリガーキー１５ｂが操作されたときにカーソルが表示されている座標において所定の入力指示（例えば図示しないアイコンの選択やアイコンに対応付けられたプログラムの実行指示等）が行われたものとして扱い、当該入力指示に応じた処理を行う。これによって、カーソルを用いた位置あわせ後の入力操作を的確に行うことができ、携帯端末装置１の裏面を用いた入力操作の操作性をより向上させることができる。
【００４２】
なお、入力受付部２２に対して２箇所以上の同時接触操作を行うようにしてもよい。
図１２は、２本の指を用いて裏面入力部２２ｂに対する入力操作を行っている一例を示す図である。
例えば図１２に示すように、携帯端末装置１を把持した手の人差し指と中指を用いて、裏面入力部２２ｂの２点に対する入力操作を行ってもよい。この場合、例えば当該２点の間隔を広げた場合に表示内容を拡大（ズーム）する表示制御や、当該２点の間隔を狭めた場合に表示内容を縮小する表示制御を行うようにしてもよい。
なお、図１２に示す裏面入力部２２ｂは、図２に示す裏面入力部２２ｂに比して入力を受け付ける領域を大きく設けることで、２箇所以上の同時接触操作を行うことをより容易としている。
【００４３】
（第２実施形態）
次に、本発明の第２実施形態について説明する。第１実施形態と同様の構成については同じ符号を付して説明を省略する。
第２実施形態では、ＣＰＵ１１が、裏面入力部２２ｂが入力を受け付ける領域のうち一部又は全部の領域と、表示部２１の表示領域の一部の領域と、を対応付けて入力操作内容を判別する。
【００４４】
図１３は、裏面入力部２２ｂが入力を受け付ける領域のうち一部の領域と表示部２１の表示領域の一部の領域との対応付けの一例を示す図である。
第２実施形態では、例えば図１３に示すように、裏面入力部２２ｂが入力を受け付ける領域のうち一部の領域（図１３に示す裏面入力部２２ｂの右半分）と、表示部２１の表示領域の一部の領域（図１３に示す表示領域の右下）とを対応付けることができる。
【００４５】
図１４（Ａ）、（Ｂ）は、ソフトウェアキーボードＳによる入力を行う場合の表示例及び裏面入力部２２ｂによるキー入力受付範囲の一例を示す図である。図１４（Ａ）は、ソフトウェアキーボードＳによる入力を行う場合の表示例を示し、図１４（Ｂ）は、図１４（Ａ）に示す表示が行われている場合の裏面入力部２２ｂによるキー入力受付範囲の一例を示す。なお、図１４（Ｂ）及び後述する図１６（Ａ）に示す裏面入力部２２ｂのソフトウェアキーボードＳの一部分は、割り当てられた一部のキーを明示するための記載であって、実際に裏面入力部２２ｂに図示したキーが表示されるわけではない。
図１４（Ａ）に示すような、ソフトウェアキーボードＳによる入力を行う画面が表示され、表示部２１の一部にソフトウェアキーボードＳの表示が行われた場合、図１４（Ｂ）に示すように、ソフトウェアキーボードＳに含まれるキーの一部に対する入力操作を、裏面入力部２２ｂに割り当てることができる。図１４（Ａ）、（Ｂ）に示す例では、図１３に示す裏面入力部２２ｂの領域と表示部２１の表示領域の一部の領域との対応付けに基づき、表示領域の下部に表示されたソフトウェアキーボードＳのキーのうち右半分が裏面入力部２２ｂに割り当てられている。
【００４６】
図１５、図１６（Ａ）、（Ｂ）を用いて、図１４（Ａ）、（Ｂ）に示すソフトウェアキーボードＳによる入力例を示す。
図１５は、表面入力部２２ａに対する入力操作により文字を入力した場合の例を示す図である。
表示部２１に表示されたソフトウェアキーボードＳの文字に対する入力操作として、表面入力部２２ａに対する入力操作が行われた場合、ＣＰＵ１１はタッチパネルコントローラ２３から入力された座標の位置に表示されたキーの文字が入力されたものとして処理する。図１５に示す例では、ソフトウェアキーボードＳの左半分に含まれる文字である「Ａ」のキーに対する入力操作が行われた場合を示している。
【００４７】
図１６（Ａ）、（Ｂ）は、裏面入力部２２ｂに対する入力操作及びトリガーキー１５ｂにより文字を入力した場合の例を示す図である。図１６（Ａ）は、裏面入力部２２ｂに対する入力操作によりソフトウェアキーボードＳを操作した場合のイメージを示す図であり、図１６（Ｂ）は、図１６（Ａ）に示す入力操作及びトリガーキー１５ｂにより文字を入力した場合の例を示す。
表示部２１に表示されたソフトウェアキーボードＳの文字に対する入力操作として、裏面入力部２２ｂに対する入力操作が行われた場合、ＣＰＵ１１はタッチパネルコントローラ２３から入力された座標の位置にマウスカーソルＭを表示させる。そして、トリガーキー１５ｂに対する入力操作が行われると、ＣＰＵ１１はマウスカーソルＭの表示されている位置に応じたキーの文字が入力されたものとして処理する。図１６（Ａ）、（Ｂ）に示す例では、ソフトウェアキーボードＳの右半分に含まれる文字である「Ｂ」のキーに対する入力操作が行われた場合を示している。
【００４８】
なお、図１３及び図１４〜図１６のソフトウェアキーボードＳに対する入力例では、裏面入力部２２ｂが入力を受け付ける領域のうち一部の領域と表示部２１の表示領域の一部の領域との対応付けが行われているが、裏面入力部２２ｂが入力を受け付ける全部の領域と表示部２１の表示領域の一部の領域とを対応付けることもできる。
図１７は、裏面入力部２２ｂが入力を受け付ける全部の領域と表示部２１の表示領域の一部の領域との対応付けの一例を示す図である。
例えば図１７に示すように、裏面入力部２２ｂが入力を受け付ける領域のうち全部の領域と、表示部２１の表示領域の一部の領域（図１３に示す表示領域の下部）とを対応付けることができる。
【００４９】
図１３及至図１７に示す裏面入力部２２ｂと表示領域との対応付けの位置関係はあくまで一例であり、第２実施形態では、裏面入力部２２ｂが入力を受け付ける領域のうち一部の領域と、表示部２１の表示領域のうち任意の一部の領域とを対応付けることができる。
【００５０】
裏面入力部２２ｂが入力を受け付ける領域のうち一部又は全部の領域と、表示部２１の表示領域の一部の領域と、の対応付け関係を示す情報はＲＯＭ１３に記憶されていてもよいし、図示しない書き換え可能な記憶装置（例えばフラッシュメモリ等）を携帯端末装置１に設けて、当該記憶装置に記憶するようにしてもよい。書き換え可能な記憶装置に対応付け関係を示す情報を記憶させる場合、対応付け関係を示す情報を生成するためのソフトウェアをＲＯＭ１３又は当該記憶装置に記憶させ、ＣＰＵ１１が当該ソフトウェアを実行処理することにより、ユーザが任意に裏面入力部２２ｂの一部又は全部の領域と、表示部２１の表示領域の一部の領域と、の対応付けを設定することができる。
【００５１】
以上、第２実施形態について特筆した点を除き、第２実施形態の携帯端末装置１の構成及び動作は第１実施形態と同様である。
【００５２】
第２実施形態によれば、ＣＰＵ１１が、裏面入力部２２ｂが入力を受け付ける領域のうち一部又は全部の領域と、表示部２１の表示領域の一部の領域と、を対応付けて入力操作内容を判別する。
これによって、裏面入力部２２ｂを介して行う入力操作が及ぶ表示領域内の範囲をあらかじめ特定することができる。よって、表面入力部２２ａを介して行う入力操作と裏面入力部２２ｂを介して行う入力操作とをより区別しやすくすることができ、タッチパネル方式の携帯端末装置を把持した手のみを用いて操作を行う場合の操作性をより向上させることができる。
また、ＣＰＵ１１が、裏面入力部２２ｂが入力を受け付ける領域のうち一部の領域と、表示部２１の表示領域の一部の領域と、を対応付けることにより、裏面入力部２２ｂが入力を受け付ける特定の領域のうちユーザにとって操作を行いやすい範囲をあらかじめ特定しておくことができる。これによって、誤って当該一部の領域以外に対する何らかの入力操作（接触等）が行われた場合の誤検知を低減させることができる。よって、タッチパネル方式の携帯端末装置を把持した手のみを用いて操作を行う場合の操作性をより向上させることができる。
【００５３】
（第３実施形態）
次に、本発明の第３実施形態について説明する。第１実施形態と同様の構成については同じ符号を付して説明を省略する。
図１８は、第３実施形態の携帯端末装置１Ａの主要構成を示すブロック図である。
図１８に示すように、第３実施形態の携帯端末装置１Ａは、第１実施形態の携帯端末装置１の構成に加え、読取装置１７をさらに備える。
読取装置１７は、光を発する光源と、光源により発せられた光の反射光を検知する光検知部とを有し、光源からの光により照らされた対象を光学的に読み取る。以下、第３実施形態の説明においては、バーコードスキャナを読取装置１７として設けた場合について説明するが、バーコードスキャナに限らず他の読取装置を用いてもよい。読取装置１７は、対象を光学的に読み取る読取手段として機能する。
【００５４】
また、第３実施形態の入力受付部２２Ｄは、第１実施形態に示す表面入力部２２ａ、裏面入力部２２ｂに加え、第３入力部２２ｃを有する。第３入力部２２ｃは、表示手段の表示領域及び前記他方の面部内の所定領域以外の所定箇所に対する押圧操作を受け付ける。
【００５５】
図１９（Ａ）、（Ｂ）は、第３実施形態による携帯端末装置１Ａの構成の一例を示す図である。図１９（Ａ）は、携帯端末装置１Ａを表面側から見た外観構成を示し、図１９（Ｂ）は、携帯端末装置１Ａを側方から見た場合の断面図を示す。
図１９（Ｂ）に示すように、第３実施形態では、第３入力部２２ｃは表面入力部２２ａと裏面入力部２２ｂの間に介在するように設けられる。また、第３実施形態では、第３入力部２２ｃは、読取装置動作スイッチ３０、３０と当接可能な位置に設けられる。
【００５６】
読取装置動作スイッチ３０は、図１９（Ａ）、（Ｂ）に示すように、携帯端末装置１Ａの上部（図１９（Ａ）、（Ｂ）に示す携帯端末装置１Ａの上側）に設けられる。読取装置動作スイッチ３０は、Ｙ軸方向に沿って移動可能に支持される。そして、読取装置動作スイッチ３０のＹ軸方向に沿った端部の一方は外部に露出し、他方は第３入力部２２ｃに対する当接／離隔を切替可能に設けられている。
また、図１９（Ａ）に示すように、読取装置１７は二つの読取装置動作スイッチ３０、３０の間に介在するように設けられる。
【００５７】
図２０は、携帯端末装置１Ａにバーコードを読み取らせる場合のイメージを示す図である。
携帯端末装置１Ａの読取装置動作スイッチ３０、３０が設けられた側をバーコードに向けた状態で、バーコードが貼り付けられた面部に対してユーザが携帯端末装置１Ａを押し付けると、読取装置動作スイッチ３０、３０がＹ軸方向に沿って移動し、他方の端部が第３入力部２２ｃに当接する。読取装置動作スイッチ３０、３０が第３入力部２２ｃに当接した場合、第３入力部２２ｃが読取装置動作スイッチ３０、３０を介して行われた押圧操作を受け付ける。ここで、第３入力部２２ｃは、表示部２１の表示領域及び裏面入力部２２ｂが設けられた所定領域以外の所定箇所に対する押圧操作を受け付ける第３の入力手段として機能する。
【００５８】
第３入力部２２ｃが押圧操作を受け付けると、タッチパネルコントローラ２３からＣＰＵ１１へ座標が入力される。ＣＰＵ１１は、入力された座標に基づいて第３入力部２２ｃに対する入力操作を検知する。ここで、ＣＰＵ１１は、第３入力部２２ｃに対する押圧操作を検知する第３の入力検知手段として機能する。
ＣＰＵ１１は、第３入力部２２ｃに対する入力操作を検知すると、読取装置１７を動作させる。読取装置１７は、バーコードに対して光を照射し、その反射光を検知してバーコードを読み取る。ここで、ＣＰＵ１１は、第３入力部２２ｃにより検知された押圧操作に応じて読取装置１７を動作させる動作制御手段として機能する。
【００５９】
図２１は、第３実施形態の入力受付部２２ＤとＸＹ座標との関係の一例を示す図である。
図１９（Ｂ）、図２１に示すように、第３実施形態の入力受付部２２Ｄは、表面入力部２２ａ、裏面入力部２２ｂ及び第３入力部２２ｃが一体となるよう設けられ、表面入力部２２ａ、裏面入力部２２ｂ、第３入力部２２ｃはそれぞれ入力受付部２２Ｄの異なる一部分を用いて構成される。第３実施形態の入力受付部２２Ｄは、例えば抵抗膜方式によるタッチパネルの電極のように可撓性を有する構成であり、携帯端末装置１Ａの上部でＵ字状のカーブを描くよう配設される。そして、Ｕ字の直線の一方で携帯端末装置１Ａの表側に設けられた部分が表面入力部２２ａとして機能し、Ｕ字の直線の他方で携帯端末装置１Ａの裏側に設けられた部分が裏面入力部２２ｂとして機能し、表面入力部２２ａと裏面入力部２２ｂとの間に介在するＵ字のカーブの部分が第３入力部２２ｃとして機能する。
ＣＰＵ１１は、タッチパネルコントローラ２３から入力される座標に基づいて、表面入力部２２ａ、裏面入力部２２ｂ、第３入力部２２ｃのいずれに対する入力操作であるかを判別する。図２１では、方形状の入力受付部２２Ｄの四つの角のうち一つ（左上）を原点としたＸＹ座標が設定され、表面入力部２２ａ、裏面入力部２２ｂ、第３入力部２２ｃのそれぞれが含まれるＹ座標の範囲が異なるものとなっている。ＣＰＵ１１は、Ｙ座標に基づいて表面入力部２２ａ、裏面入力部２２ｂ、第３入力部２２ｃを判別することができる。
【００６０】
次に、携帯端末装置１Ａの動作の流れについて、フローチャートを用いて説明する。
図２２は、第３実施形態の携帯端末装置１Ａの主要な動作の流れを示すフローチャートである。
ＣＰＵ１１は、ペンダウンが行われたか否かを判定する（ステップＳ３１）。ペンダウンが行われたか否かの判定は、例えばタッチパネルコントローラ２３から座標の入力があったか否かに基づく。
【００６１】
ステップＳ３１の判定において、ペンダウンが行われた場合（ステップＳ３１：ＹＥＳ）、ＣＰＵ１１は、タッチパネルコントローラ２３から入力された座標のうちＹ座標がＩを上回るか判定する（ステップＳ３２）。Ｙ座標がＩを上回る場合（ステップＳ３２：ＹＥＳ）、ＣＰＵ１１は表面入力部２２ａへの入力操作として処理する（ステップＳ３３）。一方、ステップＳ２の判定においてＹ座標がＩ以下の場合（ステップＳ３２：ＮＯ）、ＣＰＵ１１は、タッチパネルコントローラ２３から入力された座標のうちＹ座標がＨを下回るか判定する（ステップＳ３４）。タッチパネルコントローラ２３から入力された座標のうちＹ座標がＨを下回る場合（ステップＳ３４：ＹＥＳ）、ＣＰＵ１１は裏面入力部２２ｂへの入力操作として処理する（ステップＳ３５）。一方、ステップＳ３４の判定においてタッチパネルコントローラ２３から入力された座標のうちＹ座標がＨ以上の場合（ステップＳ３４：ＮＯ）、ＣＰＵ１１は第３入力部２２ｃに対する入力操作として扱い、読取装置１７を動作させる（ステップＳ３６）。
【００６２】
ステップＳ３３、ステップＳ３５若しくはステップＳ３６の処理後又はステップＳ３１の判定においてペンダウンが行われていない場合（ステップＳ３１：ＮＯ）であって、携帯端末装置１Ａの電源（図示略）が切られた場合（ステップＳ３７：ＹＥＳ）、携帯端末装置１Ａの処理は終了する。電源が切られるまで（ステップＳ３７：ＮＯ）、ＣＰＵ１１はステップＳ３１からの処理を繰り返す。
【００６３】
ステップＳ３３に示す表面入力部２２ａへの入力操作の処理の流れは、第１実施形態のステップＳ３及び図１０に示す表面入力部２２ａへの入力操作と同様である。ステップＳ３５に示す裏面入力部２２ｂへの入力操作の処理の流れは、第１実施形態のステップＳ４及び図１１に示す裏面入力部２２ｂへの入力操作と同様である。
【００６４】
以上、第３実施形態について特筆した点を除き、第３実施形態の携帯端末装置１Ａの構成及び動作は第１実施形態の携帯端末装置１と同様である。
【００６５】
第３実施形態によれば、第３入力部２２ｃが押圧操作を受け付けたことをＣＰＵ１１が検知すると、ＣＰＵ１１は読取装置１７を動作させる。これによって、タッチパネル２０を介して受け付けられる入力を読取装置１７の動作スイッチとして用いることができる。
【００６６】
さらに、表面入力部２２ａ、裏面入力部２２ｂ及び第３入力部２２ｃはそれぞれ、一体に形成された可撓性を有する入力受付部２２Ｄのそれぞれ異なる一部分を用いる。これによって、表面入力部２２ａ、裏面入力部２２ｂ及び第３入力部２２ｃを個別に設ける必要がなく、携帯端末装置１Ａの部品点数及び製造コストを低減させることができる。
【００６７】
なお、本発明は、上記の各実施形態に限定されることなく、本発明の趣旨を逸脱しない範囲において、種々の改良並びに設計の変更を行っても良い。
【００６８】
例えば、入力受付部２２の構成について、第１実施形態、第２実施形態においても第３実施形態と同様に表面入力部２２ａ及び裏面入力部２２ｂを一体の構成で設けてもよい。また、第３実施形態で表面入力部２２ａ、裏面入力部２２ｂ及び第３入力部２２ｃを別個に設けてもよい。
また、図４では、裏面入力部２２ｂは表面入力部２２ａを介して基盤５と接続されているが、裏面入力部２２ｂを直接基盤５へ接続してもよい。
【００６９】
また、上記の各実施形態では、裏面入力部２２ｂに対する入力操作をマウスカーソルモードで処理しているが、他の処理により入力操作を取り扱ってもよい。例えば、裏面入力部２２ｂに対する入力操作を、表面入力部２２ａに対する入力操作と同様にペン入力モードで受け付けてもよい。
また、表面入力部２２ａに対する入力操作をマウスカーソルモードで受けつけ、トリガーキー１５ｂを用いるようにしてもよい。
【００７０】
また、第３実施形態の携帯端末装置１Ａにおいて、第２実施形態と同様に、ＣＰＵ１１が裏面入力部２２ｂが入力を受け付ける領域のうち一部又は全部の領域と表示部２１の表示領域の一部の領域とを対応付けて入力操作内容を判別するようにしてもよい。
【００７１】
また、入力受付部２２は、抵抗膜方式に限らず、他の方式によってもよい。他の方式として、例えば表面弾性波方式、静電容量方式等が挙げられるが、ここに列挙するものに限らない。
また、上記各実施形態におけるＸＹ座標の決定方法、裏面入力部２２ｂに対する入力操作とマウスカーソルＭの移動との対応関係、キー入力部１５や読取装置動作スイッチ３０、３０の配置、その他の各構成についてはあくまで一例であり、本発明の特徴を逸脱しない範囲において適宜変更することができる。
【符号の説明】
【００７２】
１１  ＣＰＵ
１５ｂトリガーキー
２０  タッチパネル
２１  表示部
２２  入力受付部
２２ａ表面入力部
２２ｂ裏面入力部
２３  タッチパネルコントローラ
【図１】
2012073698.tif 000003
【図２】
2012073698.tif 000004
【図３】
2012073698.tif 000005
【図４】
2012073698.tif 000006
【図５】
2012073698.tif 000007
【図６】
2012073698.tif 000008
【図７】
2012073698.tif 000009
【図８】
2012073698.tif 000010
【図９】
2012073698.tif 000011
【図１０】
2012073698.tif 000012
【図１１】
2012073698.tif 000013
【図１２】
2012073698.tif 000014
【図１３】
2012073698.tif 000015
【図１４】
2012073698.tif 000016
【図１５】
2012073698.tif 000017
【図１６】
2012073698.tif 000018
【図１７】
2012073698.tif 000019
【図１８】
2012073698.tif 000020
【図１９】
2012073698.tif 000021
【図２０】
2012073698.tif 000022
【図２１】
2012073698.tif 000023
【図２２】
2012073698.tif 000024